(57)【要約】【課題】  磁気ディスク装置、特に垂直磁気記録方式の磁気ディスク装置において、装置内の磁気的シールド性を高度に維持し装置筐体全体の寸法を大きく変えることなく現状の業界標準サイズに収めることが可能なディスク装置を提供する。【解決手段】  本発明の磁気ディスク装置は、磁気ディスク及び磁気ヘッドを有するディスクドライブ機構を収納する筐体と、前記筐体に一体形成され、前記磁気ディスク上で前記磁気ヘッドの移動範囲に対向する前記筐体の平面領域、及び当該平面領域に連続する側面領域を有するシールド部材とを具備したことを特徴とするものである。【選択図】      図１
2006269028.tif 000002
【特許請求の範囲】
【請求項１】
磁気ディスク及び磁気ヘッドを有するディスクドライブ機構を収納する筐体と、
前記筐体に一体形成され、前記磁気ディスク上で前記磁気ヘッドの移動範囲に対向する
前記筐体の平面領域、及び当該平面領域に連続する側面領域を有するシールド部材と
を具備したことを特徴とする磁気ディスク装置。
【請求項２】
前記筐体はアルミ合金により鋳造形成されるアルミ筐体部と、磁性金属片から成るシー
ルド部材とで構成され、前記シールド部材は、前記アルミ筐体部が鋳造される際に一体形
成される
ことを特徴とする請求項１に記載の磁気ディスク装置。
【請求項３】
前記シールド部材は主要成分が軟磁性体により構成される
ことを特徴とする請求項１に記載の磁気ディスク装置。
【請求項４】
前記シールド部材はＬ字状に屈曲し、一つの面が前記磁気ヘッドの移動範囲に対向し、
もう一つの面が前記筐体の側面を形成する
ことを特徴とする請求項１に記載の磁気ディスク装置。
【請求項５】
前記シールド部材には前記磁気ヘッドを前記磁気ディスク外に退避させるためのランプ
部材を取り付けるための取付孔が設けられ、前記取付孔に前記ランプ部材がネジにより固
定される
ことを特徴とする請求項１に記載の磁気ディスク装置。
【請求項６】
前記シールド部材は、幅を１０ｍｍ〜３０ｍｍ程度とした場合、厚みが０．２ｍｍ〜０
．４ｍｍ程度の範囲でかつ透磁率（μ）が３０００以上の磁性材料から構成される
ことを特徴とする請求項１に記載の磁気ディスク装置。
【請求項７】
前記磁気ディスク及び前記磁気ヘッドは、垂直磁気記録方式の構成である
ことを特徴とする請求項１から請求項６のいずれか１項に記載の磁気ディスク装置。
【発明の詳細な説明】
【技術分野】
【０００１】
この発明は、磁気ディスク装置に関し、特に磁気シールド効果を改善した磁気ディスク
装置に関する。
【背景技術】
【０００２】
ハードディスクドライブを代表する磁気ディスク装置（以下、ディスクドライブと称す
る）は、高記録密度化を図るために、従来の長手磁気記録方式の改善と共に、垂直磁気記
録方式の開発が推進されている。
【０００３】
垂直磁気記録方式を適用したディスクドライブは、一般的には単磁極ヘッドと、２層構
造のディスク媒体とを使用するヘッド・ディスクアセンブリ機構（ＨＤＡ機構）を備えた
ものである。このようなディスクドライブでは、ドライブの外部から侵入する外乱磁界を
単磁極ヘッドが収束して、当該ヘッドの記録磁極の直下でのディスク媒体上のデータ消去
してしまう減少が確認されている。このため、垂直磁気記録方式を適用したディスクドラ
イブでは、長手磁気記録方式と比較して、磁気シールド機能に関する技術が重要となる。
【０００４】
ディスクドライブの磁気シールド機能に関する先行技術として、ドライブの外部磁界、
外部または内部の電磁ノイズをシールドする技術が、例えば、特開平６−２３６６７４公
報に記載されている。また、ドライブ内部の残留磁化に起因する磁束密度を小さくできる
ドライブのハウジング構造、例えば、特開平８−４５２６１公報に記載されている。
【０００５】
また、筐体の外部から磁気ヘッドの近傍にテープ状又は箔状の磁気シールド部材を設け
ることを特徴とする磁気ディスク装置が、特開２００３−７７２６６公報に記載されている。
【特許文献１】特開平６−２３６６７４公報（図１、要約）
【特許文献２】特開平８−４５２６１公報（図１、要約）
【特許文献３】特開２００３−７７２６６公報（図１、要約）
【発明の開示】
【発明が解決しようとする課題】
【０００６】
しかしながら、これら先行技術は、従来の長手磁気記録方式のディスクドライブを想定
したものであり、特に単磁極ヘッドを使用する垂直磁気記録方式のドライブに対する磁気
シールド効果については検証されていない。要するに、先行技術には、垂直磁気記録方式
のディスクドライブを実現する上で、効果的な外部磁界の遮断方法については言及されて
いない。
【０００７】
垂直磁気記録方式のディスクドライブでは、前述したように、単磁極ヘッドと２層構造
のディスク媒体とを組み合わせた構成を備えているため、外部磁界がディスク媒体へ与え
る影響を制御する必要がある。即ち、同ドライブの構造としては、単磁極ヘッドの主磁極
から磁束が、２層構造のディスク媒体の記録層を通過し、その記録層下に設けられた軟磁
性層を通過して、単磁極ヘッドの副磁極側へ戻る磁気的回路が形成される。この磁気的回
路により、ディスク媒体の記録層には、データが記録されることになる。したがって、単
磁極ヘッドではなく、外部磁界がディスク媒体に印加されると、同様の磁気的回路が形成
されることになり、結果としてディスク媒体上の記録データが消去されるという現象を招
く。
【０００８】
このような外部磁界の影響を回避するために、ディスクドライブ本体を磁性材料からな
る筐体により構成したり、当該筐体全体に磁気シールド部材を設けたりすることが考えら
れる。しかし、このような方法では、ドライブ自体の重量が大きくなり、かつ大型化する
ため、ディスクドライブの軽量かつ薄型化を阻む要因となる。
【０００９】
また、磁気ヘッドの移動範囲に対向する筐体の平面領域、平面領域に連続する側面領域
に設けられたシールド部材を具備する特許文献３に記載の磁気ディスク装置では、磁気シ
ールド部材はテープ、箔状のものを用いて装置筐体外部を取り囲む（巻きつける）ように
取り付けている。このため、装置筐体全体の寸法が大きくなり、所定の規格寸法を越えて
しまう可能性がある。
【００１０】
そこで、本発明は上記の問題を解決するためになされたもので、装置内の磁気的シール
ド性を高度に維持するとともに、装置筐体全体の寸法を大きく変えることなく現状の業界
標準サイズに収めることが可能なディスク装置を提供することにある。
【課題を解決するための手段】
【００１１】
上述の課題を解決するために、この発明に係る磁気ディスク装置は、磁気ディスク及び
磁気ヘッドを有するディスクドライブ機構を収納する筐体と、前記筐体に一体形成され、
前記磁気ディスク上で前記磁気ヘッドの移動範囲に対向する前記筐体の平面領域、及び当
該平面領域に連続する側面領域を有するシールド部材とを具備したことを特徴とするもの
である。
【発明の効果】
【００１２】
この発明によれば、上記のような構成をとることにより、装置内の磁気的シールド性を
高度に維持するとともに、装置筐体全体の寸法を大きく変えることなく現状の業界標準サ
イズに収めることが可能な磁気ディスク装置を提供することが可能となる。
【発明を実施するための最良の形態】
【００１３】
以下、図面を参照しながら、この発明の実施の形態に係るディスク装置として、磁気デ
ィスク装置、所謂ハードディスクドライブ（以下、ＨＤＤと称する）について詳細に説明
する。
【００１４】
図１乃至図４は、本発明の実施形態にかかるＨＤＤの構造を示す図面である。
本実施形態に係るＨＤＤは、アルミ合金により鋳造されるアルミ筐体部１０１ａとこれ
と一体形成されたシールド部材１０８からなるベース筐体１０１にスピンドルモータ（図
示しない）が固定されており、そのスピンドルモータにメディアである磁気ディスク１０
３が回転可能に取り付けられている。この磁気ディスク１０３上、即ち、表裏面には垂直
磁気記録可能な記録層である垂直磁気記録層が設けられている。磁気ディスク１０３は図
示しないロータにクランパ１０２によって締結固定され、スピンドルモータがロータを回
転することにより、磁気ディスク１０３も高速回転することができる。
【００１５】
また、磁気ディスク１０３の記録層に対して、そのデータの記録再生を行う磁気ヘッド
１０６ａを有するヘッドサブアッシ１０６をベース筐体１０１上で支持するユニットベア
リング１０７を有し、このユニットベアリング１０７を回転中心として、その近傍に設け
られた駆動源であるボイスコイルモータ１０４によりり、ヘッドを磁気ディスク１０３上
に移動可能とし、磁気ディスク１０３上のデータの記録再生を行うように構成されている
。
【００１６】
図１に示すように、本実施形態では、ベース筐体１０１が基本的にアルミ合金の鋳造物
で形成する。即ち、ベース筐体１０１の金型にアルミ合金を流し込むことにより、アルミ
筐体部１０１ａが形成されるが、この鋳造の際、磁気ディスク装置の磁気ヘッド１０６ａ
が磁気ディスク１０３上で移動可能な領域部分には、磁性材金属片からなるシールド部材
１０８が一体に鋳造形成される。
【００１７】
また、このシールド部材１０８は、ベース筐体１０１の側面部の一部も形成する形状と
なっている。即ち、シールド部材１０８は、磁気ディスク１０３上で磁気ヘッド１０６ａ
の移動範囲に対向する部分とこれに連続してＬ字状に屈曲して形成され、ベース筐体１０
１の側面に一部を兼ねた形状にアルミ筐体部１０１ａと一体に形成され、ベース筐体１０
１を構成するものである。
【００１８】
シールド部材１０８が磁性材の金属片でＬ字状に屈曲しており、磁気ヘッド１０６ａが
回動する領域の磁気ヘッド１０６ａの下側に位置することにより、ベース筐体１０１下側
からの外部磁界と、ベース筐体１０１の横方向からの外部磁界をシールドすることが可能
となる。
【００１９】
なお、トップカバー１０９上側からの垂直方向の外部磁界は、トップカバー１０９を磁
性、例えば鉄系の材料で構成するなどしてシールド効果を高めることが可能である。
【００２０】
以上述べたように、本実施形態の構成によれば、垂直記録方式のＨＤＤにおいて、外部
磁界の侵入に関して効果的な一部分、即ち、磁気ヘッド１０６ａの移動範囲であって、ベ
ース筐体１０１の一部分のみを磁性材料を適用することで、重量の増大をある程度におさ
えて、効率よく外部磁気をシールドすることが可能となる。また、このシールド部材１０
８がベース筐体１０１の側壁の一部を兼ねる構造をとるため、単に磁性材料のシール部材
やテープ部材をベース筐体外部に巻く方法に比べ、装置厚が厚くならず、ＨＤＤの小型、
軽量化を維持することが可能となる。
【００２１】
次に、図４に示す本実施形態係るベース筐体１０１の正面及び断面図を用いて具体的な
構造を説明する。
図４は、本実施形態に係るベース筐体１０１の正面図をその右側に記載している。本図
のＡ−Ａの点線部分の断面図が、左側に示した図面である。
一般的に磁気ディスク１０３の直径が２．５インチの所謂、２．５インチ型ＨＤＤでは
、突然の電源遮断時、例えば、パソコン等ホストシステムの電源の急な遮断、落雷等によ
る一時的な停電時などでは、磁気ヘッド１０６ａを磁気ディスク１０３外に設けたランプ
１０５上に高速に退避するランプロード方式を用いるタイプが多いが、ランプ１０５はそ
の性質から、磁気ヘッド１０６ａの旋回軌道の端に位置する。そこで、磁性材の金属で構
成されるシールド部材１０８にランプ取り付け用孔１１１を設ける。これにより、部品実
装が容易になる。
【００２２】
また、ベース筐体１０１を構成し、アルミ合金により鋳造されるアルミ筐体部１０１ａ
と磁性材の金属片で構成されるシールド部材１０８は、鋳造により一体成型されているの
で、磁性金属片のシールド部材１０８が装置外部に向かって、もしくは、内部にむかって
露出していても気密の観点からは問題ない。また、磁性金属片のシールド部材１０８は構
造体としての役割を果たす。これにより、装置厚を小さくすることが可能になり、この領
域にＩＣ等の部品やランプ部材を実装すると、ＨＤＤ全体のスペースを有効利用で可能と
なる。
【００２３】
更に、磁性金属片から成るシールド部材１０８のアルミ合金により鋳造形成されるアル
ミ筐体部１０１ａとの結合部分に接合用孔１１２や切欠き、凹部などを設けることで、一
体成型の際、即ち、鋳造時にこの接合工１１２にアルミ合金が入り込んで、アルミ合金か
らなるアルミ筐体部１０１ａと磁性金属片からなるシールド部１０８の結合強度が強まる
。
【００２４】
なお、磁性材の金属で形成されるシールド部材１０８がシールドとして効果を得るには
、その厚みが０．２ｍｍ以上あることが望ましい。具体的には、幅を１０ｍｍ〜３０ｍｍ
程度とした場合、厚みが０．２ｍｍ〜０．４ｍｍ程度の範囲でかつ透磁率（μ）が３００
０以上の磁性材料から構成されることが望ましい。
【００２５】
以上述べたように、本実施形態において、ディスクドライブ機構を収納する筐体であっ
て、磁気ディスク上で磁気ヘッドの移動範囲に対向する筐体の平面領域とこれに連続する
側面領域を有するシールド部材がアルミ筐体部と一体形成されることによって、ＨＤＤ内
の磁気的シールド性を高度に維持するとともに、装置筐体全体の寸法を大きく変えること
なく現状の業界標準サイズに収めることが可能な磁気ディスク装置を提供することが可能
となる。
【図面の簡単な説明】
【００２６】
【図１】本発明の実施形態に係るＨＤＤの分解斜視図。
【図２】本発明の実施形態に係るＨＤＤの斜視図（カバーなし）。
【図３】本発明の実施形態に係るＨＤＤのベース筐体側からみた分解斜視図。
【図４】本発明の実施形態に係るベース筐体の正面及び断面図。
【符号の説明】
【００２７】
１０１……ベース筐体
１０１ａ……アルミ筐体部
１０２……クランパ
１０３……磁気ディスク
１０４……ボイスコイルモータ（ＶＣＭ）
１０５……ランプ
１０６……ヘッドサブアッシ
１０６ａ……磁気ヘッド
１０７……ユニットベアリング
１０８……シールド部材
１０９……トップカバー
１１０……ネジ
１１１……ネジ孔
１１２……シールド部材取り付け孔
【図１】
2006269028.tif 000003
【図２】
2006269028.tif 000004
【図３】
2006269028.tif 000005
【図４】
2006269028.tif 000006